(57)【特許請求の範囲】
【請求項１】
燃料噴射ポンプ(７)の燃料調量ラック(８)をメカニカルガバナ(１)のガバナレバー(２)に連動連結し、このガバナレバー(２)をガバナスプリング(９)を介して調速レバー(１０)に連動連結するとともに、ガバナ力発生手段(６)に連携させ、ガバナスプリング力(９ａ)とガバナ力(６ａ)との不釣合い力でガバナレバー(２)を揺動させ、このガバナレバー(２)で燃料調量ラック(８)の調量位置を制御するようにした、ディーゼルエンジンにおいて、
ガバナレバー(２)が逆アングライヒレバー(５２)を備え、この逆アングライヒレバー(５２)に燃料調量ラック(８)を連動連結し、この逆アングライヒレバー(５２)を逆アングライヒスプリング(５３)で付勢し、
エンジン負荷の増加によってエンジン回転数が所定の逆アングライヒ回転領域(５４)まで低下すると、逆アングライヒスプリング力(５３ａ)とガバナ力(６ａ)との不釣合い力で、逆アングライヒレバー(５２)を揺動させ、エンジン回転数が低下するにつれて燃料調量ラック(８)を燃料減量側に移動させるに当たり、
逆アングライヒレバー(５２)と他のガバナ構成レバー(３)にそれぞれスプリング係止部(５２ａ)(３ａ)を設け、各スプリング係止部(５２ａ)(３ａ)に引っ張りスプリング構造の逆アングライヒスプリング(５３)の各端部を係止させ、
逆アングライヒレバー(５２)は、入力レバー(５８)と反転出力レバー(５９)とを備え、入力レバー(５８)は他のガバナ構成レバー(３)(４)とともにガバナレバー枢軸(５)に枢支し、この入力レバー(５８)をガバナ力発生手段(６)に連携させるとともに逆アングライヒスプリング(５３)で付勢し、反転出力レバー(５９)はその中途部を他のガバナ構成レバー(３)に設けた枢ピン(６０)で枢支し、入力レバー(５８)の出力端部(５８ａ)に反転出力レバー(５９)の入力端部(５９ａ)を係合させ、反転出力レバー(５９)の出力端部(５９ｂ)に燃料調量ラック(８)を連動連結し、
エンジン負荷の増加によってエンジン回転数が所定の逆アングライヒ回転領域(５４)まで低下すると、逆アングライヒスプリング力(５３ａ)とガバナ力(６ａ)との不釣合い力で、入力レバー(５８)と反転出力レバー(５９)とを揺動させ、
逆アングライヒ回転領域(５４)でのエンジン回転数の低下で、入力レバー(５８)の出力端部(５８ａ)が燃料増量側に揺動(５８ｂ)すると、反転出力レバー(５９)の出力端部(５９ｂ)が燃料減量側に反転揺動(５９ｃ)し、燃料調量ラック(８)を燃料減量側に移動させるようにした、ことを特徴とするディーゼルエンジン。
【請求項２】
請求項１に記載したディーゼルエンジンにおいて、
逆アングライヒレバー(５２)と他のガバナ構成レバー(３)のいずれかに揺動制限ボルト(５５)を取り付け、この揺動制限ボルト(５５)の螺動調節で逆アングライヒレバー(５２)の揺動可能寸法(５６)を調節することにより、逆アングライヒ回転領域(５４)での燃料調量ラック(８)の移動可能範囲(５７)が調節されるようにした、ことを特徴とするディーゼルエンジン。
【請求項３】
請求項１または請求項２に記載したディーゼルエンジンにおいて、
他のガバナ構成レバーとしてガバナスプリングレバー(４)とトルクライズレバー(３)とを備え、ガバナスプリングレバー(４)をガバナスプリング(９)を介して調速レバー(１０)に連動連結し、ガバナスプリングレバー(４)に燃料制限ボルト(６１)を対向させ、ガバナスプリングレバー(４)とトルクライズレバー(３)のいずれかにトルクライズ装置(１１)を設け、トルクライズ装置(１１)のトルクピン(１３)をトルクスプリング(１４)で押し出し方向に付勢し、トルクピン(１３)かトルクライズレバー(３)のいずれかにトルクライズ制限ボルト(６２)を対向させ、
調速制御回転領域(６３)では、ガバナスプリング力(９ａ)とガバナ力(６ａ)とでトルクスプリング(１４)を圧縮してトルクピン(１３)をトルクライズ装置(１１)に限界まで押し込んだままガバナレバー(２)を揺動させ、エンジン負荷の増加によってエンジン回転数が所定の定格回転数(６４)まで低下すると、燃料増量側に揺動するガバナスプリングレバー(４)が燃料制限ボルト(６１)に受け止められ、エンジン負荷の増加によって更にエンジン回転が所定のトルクライズ回転領域(６５)まで低下すると、トルクスプリング力(１４ａ)とガバナ力(６ａ)との不釣合い力で、トルクピン(１３)の押し出し量に応じてトルクライズレバー(３)を揺動させ、エンジン回転数が低下するにつれて燃料調量ラック(８)を燃料増量側に移動させるようにし、
トルクライズ制限ボルト(６２)の螺動調節でトルクライズ回転領域(６５)と逆アングライヒ回転領域(５４)での燃料調量ラック(８)の増量側の限界位置(６６)が調節されるようにした、ことを特徴とするディーゼルエンジン。
【発明の詳細な説明】
【技術分野】
【０００１】
本発明は、ディーゼルエンジンに関し、詳しくは、エンジントルク特性の調節を簡単に行うことができるディーゼルエンジンに関するものである。
【背景技術】
【０００２】
従来のディーゼルエンジンとして、本発明と同様、燃料噴射ポンプの燃料調量ラックをメカニカルガバナのガバナレバーに連動連結し、このガバナレバーをガバナスプリングを介して調速レバーに連動連結するとともに、ガバナ力発生手段に連携させ、ガバナスプリング力とガバナ力との不釣合い力でガバナレバーを揺動させ、このガバナレバーで燃料調量ラックの調量位置を制御するようにしたものがある。
【０００３】
しかし、従来のディーゼルエンジンでは、ガバナレバーが逆アングライヒレバーを備え、この逆アングライヒレバーに燃料調量ラックを連動連結し、この逆アングライヒレバーを逆アングライヒスプリングで付勢し、エンジン負荷の増加によってエンジン回転数が所定の逆アングライヒ回転領域まで低下すると、逆アングライヒスプリング力とガバナ力との不釣合い力で、逆アングライヒレバーを揺動させ、エンジン回転数が低下するにつれて燃料調量ラックを燃料減量側に移動させるに当たり、ガバナレバーに逆アングライヒホルダを取り付け、この逆アングライヒホルダ内に圧縮スプリング構造の逆アングライヒスプリングを収容し、逆アングライヒホルダにスプリング受けを取り付け、このスプリング受けで逆アングライヒスプリングを受け止めているため、問題がある。
【０００４】
【特許文献１】特開２００２−２７６３９１号公報(図１〜図３参照)
【発明の開示】
【発明が解決しようとする課題】
【０００５】
上記従来技術では、次の問題がある。
《問題》  エンジントルク特性の調節作業が煩雑である。
エンジントルク特性の調節をバネ定数や自由長の異なる逆アングライヒスプリングの交換によって行う場合、逆アングライヒホルダからスプリング受けを取り外し、逆アングライヒホルダから逆アングライヒスプリングを取り出し、逆アングライヒホルダに他の逆アングライヒスプリングを収容し、逆アングライヒホルダにスプリング受けを取り付ける作業を行う必要があり、エンジントルク特性の調節作業が繁雑である。
【０００６】
本発明は、上記問題点を解決することができるディーゼルエンジン、すなわち、エンジントルク特性の調節作業を簡単に行うことができるディーゼルエンジンを提供することを課題とする。
【課題を解決するための手段】
【０００７】
請求項１に係る発明の発明特定事項は、次の通りである。
図１に例示するように  燃料噴射ポンプ(７)の燃料調量ラック(８)をガバナレバー(２)に連動連結し、このガバナレバー(２)をガバナスプリング(９)を介して調速レバー(１０)に連動連結するとともに、ガバナ力発生手段(６)に連携させ、ガバナスプリング力(９ａ)とガバナ力(６ａ)との不釣合い力でガバナレバー(２)を揺動させ、このガバナレバー(２)で燃料調量ラック(８)の調量位置を制御するようにした、ディーゼルエンジンにおいて、
ガバナレバー(２)が逆アングライヒレバー(５２)を備え、この逆アングライヒレバー(５２)に燃料調量ラック(８)を連動連結し、この逆アングライヒレバー(５２)を逆アングライヒスプリング(５３)で付勢し、
エンジン負荷の増加によってエンジン回転数が所定の逆アングライヒ回転領域(５４)まで低下すると、逆アングライヒスプリング力(５３ａ)とガバナ力(６ａ)との不釣合い力で、逆アングライヒレバー(５２)を揺動させ、エンジン回転数が低下するにつれて燃料調量ラック(８)を燃料減量側に移動させるに当たり、
逆アングライヒレバー(５２)と他のガバナ構成レバー(３)にそれぞれスプリング係止部(５２ａ)(３ａ)を設け、各スプリング係止部(５２ａ)(３ａ)に引っ張りスプリング構造の逆アングライヒスプリング(５３)の各端部を係止させ、
図１に例示するように、逆アングライヒレバー(５２)は、入力レバー(５８)と反転出力レバー(５９)とを備え、入力レバー(５８)は他のガバナ構成レバー(３)(４)とともにガバナレバー枢軸(５)に枢支し、この入力レバー(５８)をガバナ力発生手段(６)に連携させるとともに逆アングライヒスプリング(５３)で付勢し、反転出力レバー(５９)はその中途部を他のガバナ構成レバー(３)に設けた枢ピン(６０)で枢支し、入力レバー(５８)の出力端部(５８ａ)に反転出力レバー(５９)の入力端部(５９ａ)を係合させ、反転出力レバー(５９)の出力端部(５９ｂ)に燃料調量ラック(８)を連動連結し、
図１、図２に例示するように、エンジン負荷の増加によってエンジン回転数が所定の逆アングライヒ回転領域(５４)まで低下すると、逆アングライヒスプリング力(５３ａ)とガバナ力(６ａ)との不釣合い力で、入力レバー(５８)と反転出力レバー(５９)とを揺動させ、
逆アングライヒ回転領域(５４)でのエンジン回転数の低下で、入力レバー(５８)の出力端部(５８ａ)が燃料増量側に揺動(５８ｂ)すると、反転出力レバー(５９)の出力端部(５９ｂ)が燃料減量側に反転揺動(５９ｃ)し、燃料調量ラック(８)を燃料減量側に移動させるようにした、ことを特徴とするディーゼルエンジン。
【発明の効果】
【０００８】
（請求項１に係る発明）
《効果》  エンジントルク特性の調節作業を簡単に行うことができる。
図１に例示するように、逆アングライヒレバー(５２)と他のガバナ構成レバー(３)にそれぞれスプリング係止部(５２ａ)(３ａ)を設け、各スプリング係止部(５２ａ)(３ａ)に引っ張りスプリング構造の逆アングライヒスプリング(５３)の各端部を係止させたので、エンジントルク特性の調節をバネ定数や自由長の異なる逆アングライヒスプリング(５３)の交換によって行う場合、逆アングライヒスプリング(５３)の各端部をスプリング係止部(５２ａ)(３ａ)から取り外し、他の逆アングライヒスプリング(５３)の各端部をスプリング係止部(５２ａ)(３ａ)に係止させるだけでよく、最大トルク回転数(６７)や最大トルク値等のエンジントルク特性の調節作業を簡単に行うことができる。
《効果》  簡単なガバナレバー構造で、逆アングライヒ特性が得られる。
図２に例示するように、逆アングライヒ回転領域(５４)でのエンジン回転数の低下で、図１に例示するように、入力レバー(５８)の出力端部(５８ａ)が燃料増量側に揺動(５８ｂ)すると、反転出力レバー(５９)の出力端部(５９ｂ)が燃料減量側に反転揺動(５９ｃ)し、燃料調量ラック(８)を燃料減量側に移動させるようにしたので、簡易なガバナレバー構造で、逆アングライヒ特性が得られる。
【０００９】
（請求項２に係る発明）
請求項１に係る発明の効果に加え、次の効果を奏する。
《効果》  エンジントルク特性の調節作業を簡単に行うことができる。
図１に例示するように、逆アングライヒレバー(５２)と他のガバナ構成レバー(３)のいずれかに揺動制限ボルト(５５)を取り付け、この揺動制限ボルト(５５)の螺動調節で逆アングライヒレバー(５２)の揺動可能寸法(５６)を調節することにより、図２に例示するように、逆アングライヒ回転領域(５４)での燃料調量ラック(８)の移動可能範囲(５７)が調節されるようにしたので、最大トルク回転数(６７)や最大トルク値等のエンジントルク特性の調節作業を簡単に行うことができる。
【００１０】
【００１１】
（請求項３に係る発明）
請求項１または請求項２に係る発明の効果に加え、次の効果を奏する。
《効果》  エンジントルク特性の調節作業を簡単に行うことができる。
図１に例示するトルクライズ制限ボルト(６２)の螺動調節で、図２に例示する燃料調量ラック(８)のトルクライズ回転領域(６５)と逆アングライヒ回転領域(５４)での燃料調量ラック(８)の増量側の限界位置(６６)が調節されるようにしたので、最大トルク回転数(６７)や最大トルク値等のエンジントルク特性の調節作業を簡単に行うことができる。
【発明を実施するための最良の形態】
【００１２】
本発明の実施の形態を図面に基づいて説明する。図１から図５は本発明の実施形態に係るディーゼルエンジンを説明する図で、この実施形態では、多気筒ディーゼルエンジンを用いて説明する。
【００１３】
このエンジンの概要は、次の通りである。
図３に示すように、シリンダブロックの横にポンプケース(３１)を取り付け、このポンプケース(３１)内に列型の燃料噴射ポンプ(７)と燃料噴射カム軸(３２)を収容し、ポンプケース(３１)の後部にガバナケース(３３)を配置し、このガバナケース(３３)内にメカニカルガバナ(１)を収容している。
【００１４】
図１に示すように、燃料噴射ポンプ(７)の燃料調量ラック(８)をメカニカルガバナ(１)のガバナレバー(２)に連動連結し、このガバナレバー(２)をガバナスプリング(９)を介して調速レバー(１０)に連動連結するとともに、ガバナ力発生手段(６)に連携させ、ガバナスプリング力(９ａ)とガバナ力(６ａ)との不釣合い力でガバナレバー(２)を揺動させ、このガバナレバー(２)で燃料調量ラック(８)の調量位置を制御するようにしている。
【００１５】
メカニカルガバナの具体的構成は、次の通りである。
図１に示すように、ガバナレバー(２)が逆アングライヒレバー(５２)を備え、この逆アングライヒレバー(５２)に燃料調量ラック(８)を連動連結し、この逆アングライヒレバー(５２)を逆アングライヒスプリング(５３)で付勢し、図２に示すように、エンジン負荷の増加によってエンジン回転数が所定の逆アングライヒ回転領域(５４)まで低下すると、図１に示すように、逆アングライヒスプリング力(５３ａ)とガバナ力(６ａ)との不釣合い力で、逆アングライヒレバー(５２)を揺動させ、エンジン回転数が低下するにつれて燃料調量ラック(８)を燃料減量側に移動させるに当たり、次のようにしている。
【００１６】
すなわち、図１に示すように、逆アングライヒレバー(５２)と他のガバナ構成レバーであるトルクライズレバー(３)にそれぞれスプリング係止部(５２ａ)(３ａ)を設け、各スプリング係止部(５２ａ)(３ａ)に引っ張りスプリング構造の逆アングライヒスプリング(５３)の各端部を係止させている。
図４、図５に示すように、各スプリング係止部(５２ａ)(３ａ)はピンの先端部に設けた溝、逆アングライヒスプリング(５３)の各端部はフックであり、逆アングライヒスプリング(５３)の各端部のフックをピンの先端部の溝に係止させることで、逆アングライヒスプリング(５３)を架設することができる。
逆アングライヒ機構は、燃料噴射ポンプの高圧噴射化に伴うトランペットＱ特性を緩和するための手段であり、トランペットＱ特性とは、燃料噴射ポンプの同じ燃料調量ラック位置で、エンジン回転数が低下するほど、燃料噴射量が増大する特性をいう。このトランペットＱ特性を緩和するには、逆アングライヒ機構により、エンジン回転数が低下するほど、燃料調量ラック位置を減量側に移動させる必要がある。
【００１７】
図１に示すように、トルクライズレバー(３)に揺動制限ボルト(５５)を取り付け、この揺動制限ボルト(５５)の先端を逆アングライヒレバー(５２)と対向させ、この揺動制限ボルト(５５)の螺動調節で逆アングライヒレバー(５２)の揺動可能寸法(５６)を調節することにより、図２に示す逆アングライヒ回転領域(５４)での燃料調量ラック(８)の移動可能範囲(５７)が調節されるようにしている。
逆アングライヒレバー(５２)に揺動制限ボルト(５５)を取り付け、この揺動制限ボルト(５５)の先端をトルクライズレバー(３)と対向させ、この揺動制限ボルト(５５)の螺動調節で逆アングライヒレバー(５２)の揺動可能寸法(５６)を調節することにより、逆アングライヒ回転領域(５４)での燃料調量ラック(８)の移動可能範囲(５７)が調節されるようにしてもよい。
【００１８】
逆アングライヒ回転領域(５４)での燃料調量ラック(８)の制御特性は図２の最下段に示す通りであり、逆アングライヒスプリング(５３)を自然長が短いものに交換し、初期スプリング荷重を大きくすると、逆アングライヒ回転領域(５４)の開始回転数(６９)は高速側にずれる。逆アングライヒスプリング(５３)を自然長が長いものに交換し、初期スプリング荷重を小さくすると、逆アングライヒ回転領域(５４)の開始回転数(６９)は低速側にずれる。逆アングライヒスプリング(５３)をバネ定数が大きいものに交換すると、逆アングライヒ回転領域(５４)での回転変動に対する燃料調量ラック(８)の位置の変動率は小さくなる。逆アングライヒスプリング(５３)をバネ定数が小さいものに交換すると、逆アングライヒ回転領域(５４)での回転変動に対する燃料調量ラック(８)の位置の変動率は大きくなる。
【００１９】
逆アングライヒレバーの具体的構造は、次の通りである。
図１に示すように、逆アングライヒレバー(５２)は、入力レバー(５８)と反転出力レバー(５９)とを備え、入力レバー(５８)は他のガバナ構成レバーであるトルクライズレバー(３)やガバナスプリングレバー(４)とともにガバナレバー枢軸(５)に枢支し、この入力レバー(５８)をガバナ力発生手段(６)に連携させるとともに逆アングライヒスプリング(５３)で付勢し、反転出力レバー(５９)はその中途部を他のガバナ構成レバー(３)に設けた枢ピン(６０)で枢支し、入力レバー(５８)の出力端部(５８ａ)に反転出力レバー(５９)の入力端部(５９ａ)を係合させ、反転出力レバー(５９)の出力端部(５９ｂ)に燃料調量ラック(８)を連動連結している。
これにより、図２に示すように、エンジン負荷の増加によってエンジン回転数が所定の逆アングライヒ回転領域(５４)まで低下すると、図１に示すように、逆アングライヒスプリング力(５３ａ)とガバナ力(６ａ)との不釣合い力で、入力レバー(５８)と反転出力レバー(５９)とを揺動させ、逆アングライヒ回転領域(５４)でのエンジン回転数の低下で、入力レバー(５８)の出力端部(５８ａ)が燃料増量側に揺動(５８ｂ)すると、反転出力レバー(５９)の出力端部(５９ｂ)が燃料減量側に反転揺動(５９ｃ)し、燃料調量ラック(８)を燃料減量側に移動させるようにしている。
【００２０】
トルクライズ装置の構成は、次の通りである。
トルクライズ装置は、定格負荷(定格回転での全負荷)を越えるエンジン負荷がかかった場合に、エンジン回転数を緩やかに低下させ、エンジントルクを高めて、エンストを抑制するためのものである。
図１に示すように、ガバナレバーとして、逆アングライヒレバー(５２)とガバナスプリングレバー(４)とトルクライズレバー(３)とを備え、ガバナスプリングレバー(４)をガバナスプリング(９)を介して調速レバー(１０)に連動連結し、ガバナスプリングレバー(４)に燃料制限ボルト(６１)を対向させ、ガバナスプリングレバー(４)にトルクライズ装置(１１)を設け、トルクライズ装置(１１)のトルクピン(１３)をトルクスプリング(１４)で押し出し方向に付勢し、トルクピン(１３)にトルクライズ制限ボルト(６２)を対向させている。トルクピン(１３)は、トルクライズレバー(３)に接当させている。
トルクライズレバー(３)にトルクライズ装置(１１)を設け、トルクライズ装置(１１)のトルクピン(１３)をトルクスプリング(１４)で押し出し方向に付勢し、トルクライズレバー(３)にトルクライズ制限ボルト(６２)を対向させてもよい。この場合、トルクピン(１３)はガバナスプリングレバー(４)に接当させる。
【００２１】
調速レバー(１０)を最高速位置にセットした全負荷運転の場合、調速制御回転領域(６３)では、ガバナスプリング力(９ａ)とガバナ力(６ａ)とでトルクスプリング(１４)を圧縮してトルクピン(１３)をトルクライズ装置(１１)に限界まで押し込んだままガバナレバー(２)を揺動させ、エンジン負荷の増加によってエンジン回転数が所定の定格回転数(６４)まで低下すると、燃料増量側に揺動するガバナスプリングレバー(４)が燃料制限ボルト(６１)に受け止められ、エンジン負荷の増加によって更にエンジン回転が所定のトルクライズ回転領域(６５)まで低下すると、トルクスプリング力(１４ａ)とガバナ力(６ａ)との不釣合い力で、トルクピン(１３)の押し出し量に応じてトルクライズレバー(３)を揺動させ、エンジン回転数が低下するにつれて燃料調量ラック(８)を燃料増量側に移動させるようにしている。
トルクライズ制限ボルト(６２)の螺動調節でトルクライズ回転領域(６５)と逆アングライヒ回転領域(５４)での燃料調量ラック(８)の増量側の限界位置(６６)が調節されるようにしている。
定格回転数(６４)とはエンジンの最大出力が得られる回転数である。調速制御回転領域(６３)とは、定格回転数(６４)から無負荷最高回転数(７０)までの回転領域で、ガバナスプリング力(９ａ)とガバナ力(６ａ)との不釣合い力で燃料調量ラック(８)の調量を制御する領域をいう。
【００２２】
図３〜図５に示すように、トルクライズレバー(３)とスプリング力入力レバー(４)と逆アングライヒレバー(５２)とは、いずれも板金の折り曲げ成型品である。ガバナレバー枢軸(５)は、ガバナケース(３３)に架設している。図３に示すように、ガバナ力発生手段(６)は、フライウェイト(３５)とガバナスリーブ(３６)からなる。燃料噴射カム軸(３２)の後端部をガバナケース(３３)内に突出させ、この突出部にフライウェイト(３５)とガバナスリーブ(３６)とを取り付けている。逆アングライヒレバー(５２)の反転出力レバー(５９)の出力部(５９ｂ)に連動体(３７)を介して、燃料噴射ポンプ(７)の燃料調量部(８)を連動連結している。
【００２３】
連動体(３７)の端部にラック増減方向に長い長孔(３７ａ)を設け、この長孔(３７ａ)に反転出力レバー(５９)の出力部(５９ｂ)を内嵌し、始動用スプリング(２６)の始動用スプリング力(２６ａ)で連動体(３７)を燃料増量方向に付勢し、長孔(３７ａ)の燃料減量側の端部周肉部(４９)を反転出力レバー(５９)の出力部(５９ｂ)に接当させ、ガバナレバー(２)の揺動に燃料調量ラック(８)を追従させるようにしている。
【００２４】
図５に示すように、連動体(３７)にはエンジン停止ソレノイド(６８)を臨ませ、このエンジン停止ソレノイド(６８)で連動体(３７)を燃料減量側に押すと、ガバナレバー(２)を置き残したまま連動体(３７)が燃料減量側に移動し、ガバナスプリング力(９ａ)の抵抗を受けることなく燃料調量ラック(８)を燃料無噴射位置まで移動させることができる。
【図面の簡単な説明】
【００２５】
【図１】本発明の実施形態に係るディーゼルエンジンのメカニカルガバナ周辺の模式図で、逆アングライヒ運転時のものである。
【図２】図１のメカニカルガバナによる調量ラックの制御特性と燃料噴射特性とエンジントルク特性の説明図である。
【図３】図１のメカニカルガバナとその周辺部分の縦断側面図である。
【図４】図１のメカニカルガバナとその周辺部分の縦断正面図である。
【図５】図１のメカニカルガバナとその周辺部分の横断平面図である。
【符号の説明】
【００２６】
(１) メカニカルガバナ
(２) ガバナレバー
(３) トルクライズレバー
(３ａ) スプリング係止部
(４) ガバナスプリングレバー
(５) ガバナレバー枢軸
(６) ガバナ力発生手段
(６ａ) ガバナ力
(７) 燃料噴射ポンプ
(８) 燃料調量ラック
(９) ガバナスプリング
(９ａ) ガバナスプリング力
(１０) 調速レバー
(１１) トルクライズ装置
(１３) トルクピン
(１４) トルクスプリング
(１４ａ) トルクスプリング力
(５２) 逆アングライヒレバー
(５２ａ) スプリング係止部
(５３) 逆アングライヒスプリング
(５３ａ) 逆アングライヒスプリング力
(５４) 逆アングライヒ回転領域
(５５) 揺動制限ボルト
(５６) 揺動可能寸法
(５７) 燃料調量ラックの移動可能範囲
(５８) 入力レバー
(５８ａ) 出力端部
(５８ｂ) 燃料増量側に揺動
(５９) 反転出力レバー
(５９ａ) 入力端部
(５９ｂ) 出力端部
(５９ｃ) 燃料減量側に反転揺動
(６０) 枢ピン
(６１) 燃料制限ボルト
(６２) トルクライズ制限ボルト
(６３) 調速制御回転領域
(６４) 定格回転数
(６５) トルクライズ回転領域
(６６) 増量側の限界位置
【図１】
0004814275.tif 000002
【図２】
0004814275.tif 000003
【図３】
0004814275.tif 000004
【図４】
0004814275.tif 000005
【図５】
0004814275.tif 000006